(57)【特許請求の範囲】
【請求項１】
洗面器の背面側の上面に設けられた凹部に収納された吐水装置が、
前記凹部の周縁部に当接するフランジを有し前記凹部内に収容可能なフレーム部材と、
吐水経路を形成するため前記フレーム部材に載置されたスパウト本体と、
前記フレーム部材および前記スパウト本体を覆う上面カバーと、を備え、
前記スパウト本体を前記洗面器に固定することにより、前記フレーム部材のフランジを前記凹部の周縁部に押圧固定し、
前記吐水装置は、使用者を検知する検知手段と、前記検知手段からの検知信号により吐水を開始する制御部と、を備えた自動水栓であり、前記上面カバーの裏面側に前記検知手段および前記制御部を配置したことを特徴とする洗面装置。
【請求項２】
前記上面カバーの外周に、前記フレーム部材のフランジ外周と係合する垂下部を設けたことを特徴とする請求項１記載の洗面装置。
【請求項３】
前記検知手段の少なくとも正面および上面を覆うセンサカバーを設け、前記センサカバーと前記上面カバーの少なくとも一部が重なり合うように配置したことを特徴とする請求項１または２記載の洗面装置。
【請求項４】
前記制御部の制御状態を変更するため、前記上面カバーに開設されたスイッチ孔を貫通して上方に突出する操作スイッチを設け、更に、前記制御部を収納したコントローラケースを前記センサカバーと別に備え、前記スイッチ孔と前記操作スイッチとの隙間から浸入して前記コントローラケースの上面に至った水を前記フレーム部材へ誘導するため前記センサカバーにおける前記コントローラケースとの当接部に導水リブを設けたことを特徴とする請求項３記載の洗面装置。
【請求項５】
前記制御部の制御状態を変更するため、前記上面カバーに開設されたスイッチ孔を貫通して上方に突出する操作スイッチを設け、前記操作スイッチは、キートップ部が形成されたスイッチ板を着脱自在に備え、前記上面カバーは前記フレーム部材に対してスライドさせることにより係脱可能であることを特徴とする請求項１または２記載の洗面装置。
【発明の詳細な説明】
【技術分野】
【０００１】
本発明は、一般家庭や公共施設などのトイレや洗面所に設置される洗面装置に関する。
【背景技術】
【０００２】
従来、蛇口やスパウトなどの吐水部が外装ケース内に収納された吐水装置を洗面器の後部に固定した洗面装置が知られている（例えば、特許文献１参照。）。この洗面装置（蛇口装置）は、操作パネルが蛇口の上面に露出しているため操作性が良く、回路ユニットは外装ケース内に収納されているため外観性が良好で、掃除もし易い。
【０００３】
一方、吐水装置が洗面器から突出しないように、洗面器の内部に吐水装置を収納した洗面装置も知られている（例えば、特許文献２参照。）。この洗面装置（手洗装置）は、施工作業を楽に行うことができ、清掃性の向上を図ることができる。
【０００４】
【特許文献１】特公平７−７４５１０号公報
【特許文献２】特開２００２−７８６２６号公報
【発明の開示】
【発明が解決しようとする課題】
【０００５】
特許文献１記載の洗面装置（蛇口装置）の場合、吐水装置が洗面器の後部に突出状態に配置されているため、実際に使用するときや清掃のときなどに、人や物が吐水装置に当たって、損傷することがある。また、意匠上も、好ましい外観形状ではない。
【０００６】
一方、特許文献２記載の洗面装置（手洗装置）の場合、吐水装置のメンテナンスを行うとき、洗面器の背面側から作業を行わなければならないので、メンテナンス作業が困難である。
【０００７】
本発明が解決しようとする課題は、洗面器の使用時や清掃時に人や物と当接する突出部分が少なく、防水性およびメンテナンス性に優れた洗面装置を提供することにある。
【課題を解決するための手段】
【０００８】
洗面器の背面側の上面に設けられた凹部に収納された吐水装置が、
前記凹部の周縁部に当接するフランジを有し前記凹部内に収容可能なフレーム部材と、
吐水経路を形成するため前記フレーム部材に載置されたスパウト本体と、
前記フレーム部材および前記スパウト本体を覆う上面カバーと、を備え、
前記スパウト本体を前記洗面器に固定することにより、前記フレーム部材のフランジを前記凹部の周縁部に押圧固定し、
前記吐水装置は、使用者を検知する検知手段と、前記検知手段からの検知信号により吐水を開始する制御部と、を備えた自動水栓であり、前記上面カバーの裏面側に前記検知手段および前記制御部を配置したことを特徴とする。
【０００９】
このような構成とすれば、吐水装置を構成するフレーム部材およびスパウト本体が洗面器の背面側上面に設けられた凹部に収納され、フレーム部材のフランジが凹部の周縁部に当接した状態で当該吐水装置が洗面器に固定されるため、洗面器上面から突出する部材は上面カバーとなる。従って、洗面器上面からの突出量を抑制することができ、洗面器の使用時や清掃時に人や物と当接する突出部分が少ない。また、スパウト本体を洗面器に固定することにより、フレーム部材のフランジが洗面器の凹部の周縁部に押圧固定されるため、凹部への水の浸入を防止することができ、防水性に優れている。さらに、凹部に収納された吐水装置は、スパウト本体の固定を解除すれば、凹部から離脱可能となるため、メンテナンス性も優れている。
【００１０】
また、前記吐水装置を、使用者を検知する検知手段と、前記検知手段からの検知信号により吐水を開始する制御部と、を備えた自動水栓とし、前記上面カバーの裏面側に前記検知手段および前記制御部を配置したことにより、フレーム部材に水が浸入したときに、検知手段や制御部が浸水するのを防止することができるため、さらに防水性が向上する。
【００１１】
ここで、前記上面カバーの外周に、前記フレーム部材のフランジ外周と係合する垂下部を設ければ、上面カバーとフレーム部材との隙間から吐水装置内へ水が浸入するのを防止することができるため、防水性が向上する。
【００１２】
また、前記検知手段の少なくとも正面および上面を覆うセンサカバーを設け、前記センサカバーと前記上面カバーの少なくとも一部が重なり合うように配置することもできる。このような構成とすれば、上面カバー内へ浸入した水が上面カバーの裏面を伝わって検知手段に至るのを防止することができるため、防水性の向上に有効である。
【００１３】
さらに、前記制御部の制御状態を変更するため、前記上面カバーに開設されたスイッチ孔を貫通して上方に突出する操作スイッチを設け、更に、前記制御部を収納したコントローラケースを前記センサカバーと別に備え、前記スイッチ孔と前記操作スイッチとの隙間から浸入して前記コントローラケースの上面に至った水を前記フレーム部材へ誘導するため前記センサカバーにおける前記コントローラケースとの当接部に導水リブを設けることもできる。このような構成とすれば、スイッチ孔と操作スイッチとの隙間から浸入してコントローラケースの上面に至った水は導水リブに沿ってフレーム部材へ誘導されるため、検知手段が浸水するのを防止することができる。
【００１４】
また、前記制御部の制御状態を変更するため、前記上面カバーに開設されたスイッチ孔を貫通して上方に突出する操作スイッチを設け、前記操作スイッチは、キートップ部が形成されたスイッチ板を着脱自在に備え、前記上面カバーは前記フレーム部材に対してスライドさせることにより係脱可能とすることもできる。このような構成とすれば、上面カバーをスライドさせてフレーム部材から取り外せば、スイッチ板を取り外すことができるため、キートップ部の掃除や交換というメンテナンス作業を容易に行なうことができる。
【発明の効果】
【００１５】
本発明により、洗面器の使用時や清掃時に人や物と当接する突出部分が少なく、防水性およびメンテナンス性に優れた洗面装置を提供することができる。
【発明を実施するための最良の形態】
【００１６】
以下、図面に基づいて本発明の実施の形態について説明する。図１は本発明の実施の形態である洗面装置を示す斜視図、図２は図１におけるＡ−Ａ線断面図、図３は図１に示す洗面装置を構成する吐水装置付近を示す一部断面斜視図、図４は図１に示す洗面装置を構成する上面カバーおよびフレーム部材を示す分解斜視図、図５は図１に示す洗面装置の分解斜視図、図６は図１に示す洗面装置を構成するスパウト本体の分解斜視図である。
【００１７】
図１〜図３に示すように、本実施形態の洗面装置１０は、洗面器１１の背面側の上面１１ａの中央に設けられた凹部１１ｂに吐水装置１２が収納され、この吐水装置１２が、凹部１１ｂの周縁部に当接するフランジ１３ｆを有し凹部１１ｂ内に収容可能なフレーム部材１３と、凹部１１ｂ内に吐水経路を形成するためフレーム部材１３に載置されたスパウト本体１４と、フレーム部材１３およびスパウト本体１４を覆う上面カバー１５と、を備えている。スパウト本体１４の上流側端部には継手管１６が設けられており、この継手管１６は凹部１１ｂの底壁１１ｃに開設された貫通孔１１ｄに挿通されている。スパウト本体１４は、その屈曲したエルボー部の周囲においてフレーム部材１３の底面と当接するように構成されている。そして、継手管１６の下端部に締付ナット１７を螺着してスパウト本体１４を洗面器１１に固定することにより、フレーム部材１３のフランジ１３ｆが凹部１１ｂの周縁の上面１１ａに押圧固定されている。
【００１８】
フランジ１３ｆにおける洗面器１１の上面１１ａとの当接面にはパッキン１５ｋが設けられているため、締付ナット１７を螺着したとき、このパッキン１５ｋがフランジ１３ｆで押圧変形されることにより、洗面器１１の上面１１ａとフレーム部材１３のフランジ１３ｆとは高い水密性を保って固定される。なお、洗面器１１のボール１１ｅと対向するフレーム部材１３の垂下部１３ｇにもパッキン１５ｌが設けられており、このパッキン１５ｌにより、ボール１１ｅから跳ね返った水がフレーム部材１３の底面１３ｈへ浸入するのを防止している。なお、フレーム部材１３の底面１３ｈと、洗面器１１の凹部１１ｂの前部上面１１ｈとの間には隙間が生じるように設計されている。このため、継手管１６の下端部に締付ナット１７を螺着してスパウト本体１４を洗面器１１に固定する際に、フレーム部材１３のフランジ１３ｆを洗面器１１の上面１１ａに強く押し付け、パッキン１５ｋを確実に押圧変形させることができ、高い水密性を保つことが可能である。
【００１９】
洗面器１１のボール１１ｅに臨む吐水装置１２の正面下方に吐水口１８が開設され、吐水装置１２の上面カバー１５には、押圧式の連続吐水スイッチ１９および温度切替スイッチ２０が突出状に配置されている。また、上面カバー１５の中央付近には、人が接近すると点灯するパイロットランプ２１が設けられている。さらに、略四角形をした上面カバー１５の外周全体には、フレーム部材１３のフランジ１３ｆ外周と係合する垂下部１５ａが設けられている。
【００２０】
図４に示すように、フレーム部材１３は直方体の正面および上面を開口した形状であり、上面の開口部分を覆うように上面カバー１５が着脱可能に取り付けられる。上面カバー１５とフレーム部材１３とは、上面カバー１５の下面に突設された楔状突起部１５ｄを、フレーム部材１３の前縁部分に開設された楔状凹部１３ｄに嵌入させることによって固定される。即ち、上面カバー１５をフレーム部材１３の上面に被せ、上面カバー１５を洗面器１１の背面側へスライドさせると楔状突起部１５ｄが楔状凹部１３ｄに嵌入され、図２に示すように、上面カバー１５がフレーム部材１３に固定される。逆に、図２の状態にある上面カバー１５を洗面器１１の正面側へスライドさせると楔状突起部１５ｄが楔状凹部１３ｄから離脱し、上面カバー１５が取り外し可能となる。なお、この図４では省略しているが、上面カバー１５の垂下部１５ａとフランジ１３ｆとは、図２に示すように、六角レンチで回動可能なビス１５ｎによって着脱可能に固定されている。従って、上面カバー１５に触れられただけで簡単にスライドしてしまうことがない。
【００２１】
図５に示すように、吐水装置１２は、使用者の接近を検知する人検知手段２２と、吐水口１８付近に差し出された手を検知する手検知手段２３と、手検知手段２３からの検知信号により継手管１６の上流に配置された水路開閉弁（図示せず）に吐水開始信号を送信する制御部２４と、を備えている。人検知手段２２，手検知手段２３および制御部２４は上面カバー１５の裏面側に配置されている。人検知手段２２は、洗面器１１の正面側に向かう水平方向の延長上を検知領域とし、手検知手段は前記水平方向から約１５度斜め下方を検知領域としている。
【００２２】
図５に示すように、人検知手段２２および手検知手段２３の正面、上面、側面および下面を覆うセンサカバー２５が設けられ、センサカバー２５と上面カバー１５の正面寄りの領域が重なり合うように配置されている。人検知手段２２および手検知手段２３の正面とセンサカバー２５との間にはパッキンＰ１，Ｐ２が挟持されている。また、上面カバー１５とコントローラケース３０との間には、ゴム製の遮光板２８と、後述するように、上面カバー１５から突出し使用者が押圧操作するキートップ部２９ｓと光拡散部２９ｔとを有するスイッチ板２９が配置され、コントローラケース３０の下方には取付板３１が配置されている。
【００２３】
そして、図２に示すように、コントローラケース３０の下面に制御部２４が図示していないネジにより固定されている。このように制御部２４が宙吊り状態で取り付けられたコントローラケース３０が取付板３１に対して嵌め込まれた後に、図示しないネジによりフレーム部材１３の底面１３ｈに対して前後に所定距離だけ移動可能な状態で固定されている。なお、取付板３１は、図２に示すように、底面１３ｈから所定距離離れた状態となっているため、底面１３ｈが水浸しとなっても、取付板３１が接水する面積を極小化することができる。
【００２４】
また、図６に示すように、スパウト本体１４には、吐水口１８が取り付けられ、その正面に取付板２６および吐水口カバー２７が配置されている。図３に示すように、吐水装置１２の正面において、センサカバー２５の下方に吐水口カバー２７が位置している。
【００２５】
また、図５に示すように、制御部２４はコントローラケース３０内に配置され、制御部２４の制御状態を変更するため、上面カバー１５に開設されたスイッチ孔１５ｂ，１５ｃを貫通して上面カバー１５上に突出する連続吐水スイッチ１９および温度切替スイッチ２０が設けられている。具体的には、スイッチ板２９に設けられたキートップ部２９ｓが突出している。また、上面カバー１５にはパイロットランプ２１用のスリット１５ｐが開設されている。さらに、スイッチ孔１５ｂ，１５ｃと、連続吐水スイッチ１９および温度切替スイッチ２０として突出するキートップ部２９ｓとの隙間あるいはスリット１５ｐから浸入した水が、コントローラケース３０のパイロットランプ２１用のスリット３０ｐやスイッチ孔３０ｓを通過して内部へ浸入するのを防止するため、スリット３０ｐおよびスイッチ孔３０ｓの上面を覆うようにそれぞれ防水シート３０ａ，３０ｂが貼着されている。
【００２６】
図１に示す待機状態にある洗面装置１０に使用者が接近すると、人検知手段２２がそれを検知して、連続吐水スイッチ１９、温度切替スイッチ２０、及び、パイロットランプ２１が点灯する。洗面器１１の正面側に立った使用者が吐水口１８に向かって手を差し出すと手検知手段２３がそれを検知し、吐水口１８から水や湯が吐出され、手を引っ込めると自動停止する。また、連続吐水スイッチ１９を押すと、吐水口から連続的に吐水される。温度切替スイッチ２０を押すことにより吐水口１８から吐出される湯の温度を調節することができる。さらに、連続吐水スイッチ１９および温度切替スイッチ２０を同時に長押しすると、手検出手段２３からの検知信号に基づく吐水制御機能が停止し、所謂「お掃除モード」となる。なお、再度、連続吐水スイッチ１９および温度切替スイッチ２０を同時に長押しすると「お掃除モード」が解除され、通常の待機状態に復帰する。
【００２７】
以上のように、洗面装置１０においては、吐水装置１２を構成するフレーム部材１３およびスパウト本体１４が洗面器１１の背面側の上面１１ａに設けられた凹部１１ｂ内に収納され、フレーム部材１３のフランジ１３ｆが凹部１１ｂの周縁部に当接した状態で洗面器１１に固定されているため、洗面器１１の上面１１ａから突出する部材は上面カバー１５となる。従って、洗面器１１の上面１１ａからの突出量が抑制され、洗面器１１の使用時や清掃時に人や物と当接する突出部分が少ない。
【００２８】
また、スパウト本体１４を洗面器１１に固定することにより、フレーム部材１３のフランジ１３ｆが洗面器１１の凹部１１ｂの周縁部に押圧固定されるため、凹部１１ｂへの水の浸入を防止することができ、防水性に優れている。さらに、凹部１１ｂに収納された吐水装置１２は、締め付けナット１７を緩めてスパウト本体１４との固定を解除すれば、凹部１１ｂから離脱可能となるため、メンテナンス性も優れている。
【００２９】
さらに、上面カバー１５の外周に、フレーム部材１３のフランジ１３ｆ外周と係合する垂下部１５ａを設けているため、上面カバー１５とフレーム部材１３との隙間から吐水装置１２内へ水が浸入するのを防止することができる。また、上面カバー１５の裏面側に、人検知手段２２、手検知手段２３および制御部２４を配置しているため、フレーム部材１３に水が浸入したときに、人検知手段２２、手検知手段２３あるいは制御部２４が浸水するのを防止することができる。
【００３０】
また、人検知手段２２、手検知手段２３の正面、上面、側面および下面をセンサカバー２５で覆うとともに、センサカバー２５および上面カバー１５の正面寄りの領域が互いに重なり合うように配置しているため、上面カバー１５内へ浸入した水が上面カバー１５の裏面を伝わって人検知手段２２、手検知手段２３に至るのを防止することができる。
【００３１】
さらに、図５に示すように、スイッチ孔１５ｂ，１５ｃと、連続吐水スイッチ１９および温度切替スイッチ２０との隙間やスリット１５ｐから浸入した水は、線Ｌ１，Ｌ２，Ｌ３に沿った経路に沿って移動し、フレーム部材１３へ誘導される。そして、図２に示すように、フレーム部材１３と吐水口カバー２７との隙間Ｓから、洗面器１１のボール１１ｅ内へ排出されるため、コントローラケース３０の内部に水が浸入することがなく、制御部２４の浸水を防止することができる。
【００３２】
また、前記隙間から浸入して線Ｌ４に沿った経路を流れる水がセンサカバー２５の内側に流れ込むのを防止するとともに、フレーム部材１３へ誘導するため、センサカバー２５とコントローラケース３０との当接部分となる切欠部２５ａに、導水リブ２５ｂが垂下状に設けられている。従って、人検知手段２２、手検出手段２３への浸水を防止することができる。
【００３３】
一方、ビス１５ｎを外して上面カバー１５を前方へスライドさせると、上面カバーは簡単に取り外すことができ、また、キートップ部２９ｓが設けられたスイッチ板２９は、スイッチ本体などが固定された制御部２４を収納したコントローラケース３０に載置されている別部材であるため、このスイッチ板２９を取り出して掃除したり、交換したりというメンテナンス作業を容易に行なうことができる。
【産業上の利用可能性】
【００３４】
本発明の洗面装置は、一般家庭や公共施設などのトイレや洗面所において広く利用することができる。
【図面の簡単な説明】
【００３５】
【図１】本発明の実施の形態である洗面装置を示す斜視図である。
【図２】図１におけるＡ−Ａ線断面図である。
【図３】図１に示す洗面装置を構成する吐水装置付近を示す一部断面斜視図である。
【図４】図１に示す洗面装置を構成する上面カバーおよびフレーム部材を示す分解斜視図である。
【図５】図１に示す洗面装置の分解斜視図である。
【図６】図１に示す洗面装置を構成するスパウト本体の分解斜視図である。
【符号の説明】
【００３６】
１０  洗面装置
１１  洗面器
１１ａ  上面
１１ｂ  凹部
１１ｃ  底壁
１１ｄ  貫通孔
１１ｅ  ボール
１１ｈ  前部上面
１２  吐水装置
１３  フレーム部材
１３ｄ  楔状凹部
１３ｆ  フランジ
１３ｇ，１５ａ  垂下部
１３ｈ  底面
１４  スパウト本体
１５  上面カバー
１５ｂ，１５ｃ，３０ｓ  スイッチ孔
１５ｄ  楔状突起部
１５ｋ，１５ｌ，Ｐ１，Ｐ２  パッキン
１５ｎ  ビス
１５ｐ，３０ｐ  スリット
１６  継手管
１７  締付ナット
１８  吐水口
１９  連続吐水スイッチ
２０  温度切替スイッチ
２１  パイロットランプ
２２  人検知手段
２３  手検知手段
２４  制御部
２５  センサカバー
２５ａ  切欠部
２５ｂ  導水リブ
２６，３１  取付板
２７  吐水口カバー
２８  遮光板
２９  スイッチ板
２９ｓ  キートップ部
２９ｔ  光拡散部
３０  コントローラケース
３０ａ，３０ｂ  防水シート
Ｌ１，Ｌ２，Ｌ３，Ｌ４  線
Ｓ  隙間
【図１】
0004715597.tif 000002
【図２】
0004715597.tif 000003
【図３】
0004715597.tif 000004
【図４】
0004715597.tif 000005
【図５】
0004715597.tif 000006
【図６】
0004715597.tif 000007